【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
ＩＴＵ−Ｔ勧告Ｖ．８、Ｖ．２１、Ｖ．２７ｔｅｒ、Ｖ．２９、Ｖ．１７、Ｖ．３４通信可能な通信装置において、
ＥＣＭ送信の禁止を選択する手段と、ＥＣＭ受信の禁止を選択する手段とを有し、
ＥＣＭ送信およびＥＣＭ受信の禁止が選択されている場合は、Ｖ．３４送信を実行せずにＶ．１７以下の送信を実行し、一方、Ｖ．３４受信を実行しないでＶ．１７以下の受信を実行し、さらに、ＥＣＭ送信の禁止が選択されていてＥＣＭ受信の禁止が選択されていない状態では、着信時はＶ．８プロトコルを実行し、受信動作であればＶ．３４受信を実行し、ポーリング送信動作であればＶ．１７以下のポーリング送信へ移行し、Ｖ．１７以下のデータ送信を実行することを特徴とする通信装置。
【請求項２】
請求項１において、
着信時にＶ．８のＡＮＳａｍ信号を送信し、Ｖ．８のＣＭ信号を検出した場合、Ｖ．８のＣＭ信号に送信が指定されていれば、Ｖ．８のＶ．３４通信可を示すＪＭ信号を送信し、一方、前記Ｖ．８のＣＭ信号にポーリング受信が指定されていればＶ．８のＶ．３４通信不可を示すＪＭ信号を送信することを特徴とする通信装置。
【請求項３】
ＩＴＵ−Ｔ勧告Ｖ．８、Ｖ．２１、Ｖ．２７ｔｅｒ、Ｖ．２９、Ｖ．１７、Ｖ．３４通信可能な通信装置の制御方法において、
ＥＣＭ送信の禁止を選択する工程と、ＥＣＭ受信の禁止を選択する工程とを有し、
ＥＣＭ送信およびＥＣＭ受信の禁止が選択されている場合は、Ｖ．３４送信を実行せずにＶ．１７以下の送信を実行し、一方、Ｖ．３４受信を実行しないでＶ．１７以下の受信を実行し、さらに、ＥＣＭ送信の禁止が選択されていてＥＣＭ受信の禁止が選択されていない状態では、着信時はＶ．８プロトコルを実行し、受信動作であればＶ．３４受信を実行し、ポーリング送信動作であればＶ．１７以下のポーリング送信へ移行し、Ｖ．１７以下のデータ送信を実行することを特徴とする通信装置の制御方法。
【請求項４】
請求項３において、
着信時にＶ．８のＡＮＳａｍ信号を送信し、Ｖ．８のＣＭ信号を検出した場合、Ｖ．８のＣＭ信号に送信が指定されていれば、Ｖ．８のＶ．３４通信可を示すＪＭ信号を送信し、一方、前記Ｖ．８のＣＭ信号にポーリング受信が指定されていればＶ．８のＶ．３４通信不可を示すＪＭ信号を送信することを特徴とする通信装置の制御方法。
【請求項５】
ＥＣＭ通信を必須とする第１の通信方法と、ＥＣＭ通信を必須としない第２の通信方法とを実行可能な通信装置において、
ＥＣＭ送信の禁止を選択する手段と；
ＥＣＭ受信の禁止を選択する手段と；
ＥＣＭ送信とＥＣＭ受信との禁止が選択されている場合は、前記第１の通信方法を実行せずに、前記第２の通信方法で通信し、さらに、ＥＣＭ送信の禁止が選択されしかもＥＣＭ受信の禁止が選択されていない状態では、着信時に、受信動作であれば、前記第１の通信方法で受信し、ポーリング送信動作であれば、前記第２の通信方法によるポーリング送信へ移行し、前記第２の通信方法でデータ送信を実行する制御手段と；
を有することを特徴とする通信装置。
【請求項６】
請求項５において、
前記第１の通信方法は、前記第２の通信方法よりも高速であることを特徴とする通信装置。
【請求項７】
ＥＣＭ通信が必須である第１の通信方法と、ＥＣＭ通信が必須でない第２の通信方法とを実行可能な通信装置の制御方法において、
ＥＣＭ送信の禁止を選択する工程と；
ＥＣＭ受信の禁止を選択する工程と；
ＥＣＭ送信とＥＣＭ受信との禁止が選択されている場合は、前記第１の通信方法を実行せずに、前記第２の通信方法で通信し、さらに、ＥＣＭ送信の禁止が選択されしかもＥＣＭ受信の禁止が選択されていない状態では、着信時に、受信動作であれば、前記第１の通信方法で受信し、ポーリング送信動作であれば、前記第２の通信方法によるポーリング送信へ移行し、前記第２の通信方法でデータ送信を実行する制御工程と；
を有することを特徴とする通信装置の制御方法。
【請求項８】
請求項７において、
前記第１の通信方法は、前記第２の通信方法よりも高速であることを特徴とする通信装置の制御方法。
【手続補正２】
【補正対象書類名】明細書
【補正対象項目名】０００４
【補正方法】変更
【補正の内容】
【０００４】
そこで本発明は、ＩＴＵ−Ｔ勧告Ｖ．８、Ｖ．１７、Ｖ．３４通信において、ＥＣＭ送信の禁止が選択されていて、ＥＣＭ受信の禁止が選択されていない場合に、ポーリング通信を確実に行うことができる通信装置およびその制御方法を提供することを目的とする。


【手続補正３】
【補正対象書類名】明細書
【補正対象項目名】０００５
【補正方法】変更
【補正の内容】
【０００５】
【課題を解決するための手段】
本発明は、ＩＴＵ−Ｔ勧告Ｖ．８、Ｖ．２１、Ｖ．２７ｔｅｒ、Ｖ．２９、Ｖ．１７、Ｖ．３４通信可能な通信装置において、ＥＣＭ送信の禁止を選択する手段と、ＥＣＭ受信の禁止を選択する手段とを有し、ＥＣＭ送信およびＥＣＭ受信の禁止が選択されている場合は、Ｖ．３４送信を実行せずにＶ．１７以下の送信を実行し、一方、Ｖ．３４受信を実行しないでＶ．１７以下の受信を実行し、さらに、ＥＣＭ送信の禁止が選択されていてＥＣＭ受信の禁止が選択されていない状態では、着信時はＶ．８プロトコルを実行し、受信動作であればＶ．３４受信を実行し、ポーリング送信動作であればＶ．１７以下のポーリング送信へ移行し、Ｖ．１７以下のデータ送信を実行することを特徴とする通信装置である。
【手続補正４】
【補正対象書類名】明細書
【補正対象項目名】０００６
【補正方法】変更
【補正の内容】
【０００６】
本発明は、ＩＴＵ−Ｔ勧告Ｖ．８、Ｖ．２１、Ｖ．２７ｔｅｒ、Ｖ．２９、Ｖ．１７、Ｖ．３４通信可能な通信装置の制御方法において、ＥＣＭ送信の禁止を選択する工程と、ＥＣＭ受信の禁止を選択する工程とを有し、ＥＣＭ送信およびＥＣＭ受信の禁止が選択されている場合は、Ｖ．３４送信を実行せずにＶ．１７以下の送信を実行し、一方、Ｖ．３４受信を実行しないでＶ．１７以下の受信を実行し、さらに、ＥＣＭ送信の禁止が選択されていてＥＣＭ受信の禁止が選択されていない状態では、着信時はＶ．８プロトコルを実行し、受信動作であればＶ．３４受信を実行し、ポーリング送信動作であればＶ．１７以下のポーリング送信へ移行し、Ｖ．１７以下のデータ送信を実行することを特徴とする通信装置の制御方法である。
【手続補正５】
【補正対象書類名】明細書
【補正対象項目名】０００７
【補正方法】変更
【補正の内容】
【０００７】
本発明は、ＥＣＭ通信を必須とする第１の通信方法と、ＥＣＭ通信を必須としない第２の通信方法とを実行可能な通信装置において、ＥＣＭ送信の禁止を選択する手段と、ＥＣＭ受信の禁止を選択する手段と、ＥＣＭ送信とＥＣＭ受信との禁止が選択されている場合は、前記第１の通信方法を実行せずに、前記第２の通信方法で通信し、さらに、ＥＣＭ送信の禁止が選択されしかもＥＣＭ受信の禁止が選択されていない状態では、着信時に、受信動作であれば、前記第１の通信方法で受信し、ポーリング送信動作であれば、前記第２の通信方法によるポーリング送信へ移行し、前記第２の通信方法でデータ送信を実行する制御手段とを有することを特徴とする通信装置である。
【手続補正６】
【補正対象書類名】明細書
【補正対象項目名】０００８
【補正方法】変更
【補正の内容】
【０００８】
本発明は、ＥＣＭ通信が必須である第１の通信方法と、ＥＣＭ通信が必須でない第２の通信方法とを実行可能な通信装置の制御方法において、ＥＣＭ送信の禁止を選択する工程と、ＥＣＭ受信の禁止を選択する工程と、ＥＣＭ送信とＥＣＭ受信との禁止が選択されている場合は、前記第１の通信方法を実行せずに、前記第２の通信方法で通信し、さらに、ＥＣＭ送信の禁止が選択されしかもＥＣＭ受信の禁止が選択されていない状態では、着信時に、受信動作であれば、前記第１の通信方法で受信し、ポーリング送信動作であれば、前記第２の通信方法によるポーリング送信へ移行し、前記第２の通信方法でデータ送信を実行する制御工程とを有することを特徴とする通信装置の制御方法である。
【手続補正７】
【補正対象書類名】明細書
【補正対象項目名】０００９
【補正方法】変更
【補正の内容】
【０００９】
請求項１、３記載の発明では、ＥＣＭ送信の禁止が選択されていて、ＥＣＭ受信の禁止が選択されていない場合において、ポーリング通信のための着信が実行された場合、Ｖ．８のプロトコル後、Ｖ．２１のプロトコル、Ｖ．１７、Ｖ．２９、Ｖ．２７ｔｅｒの画伝送でのポーリング送信が可能になる。


【手続補正８】
【補正対象書類名】明細書
【補正対象項目名】００１０
【補正方法】変更
【補正の内容】
【００１０】
請求項５、７記載の発明では、ＥＣＭ送信の禁止が選択されていて、ＥＣＭ受信の禁止が選択されていない場合において、着信がポーリング送信動作のための着信であった場合、ＥＣＭ送信を禁止した通信方法でデータ送信が可能になる。
【手続補正９】
【補正対象書類名】明細書
【補正対象項目名】００４０
【補正方法】変更
【補正の内容】
【００４０】
【発明の効果】
請求項1、３記載の発明によれば、ＥＣＭ送信の禁止が選択されていて、ＥＣＭ受信の禁止が選択されていない場合において、ポーリング通信のための着信が実行された場合、Ｖ．８のプロトコル後、Ｖ．２１のプロトコル、Ｖ．１７、Ｖ．２９、Ｖ．２７ｔｅｒの画伝送でのポーリング送信が可能になり、使い易い装置を提供できる効果がある。


【手続補正１０】
【補正対象書類名】明細書
【補正対象項目名】００４１
【補正方法】変更
【補正の内容】
【００４１】
請求項５、７記載の発明によれば、ＥＣＭ送信の禁止が選択されていて、ＥＣＭ受信の禁止が選択されていない場合において、着信がポーリング送信動作のための着信であった場合、ＥＣＭ送信を禁止した通信方法でデータ送信が可能に、この機能を有した通信装置を適正に実現できる効果がある。